(57)【要約】【課題】本発明は、リード線類と中継コネクタを１ヶ所に集中して保護でき、リード線類の損傷防止と、リード線類のドレンパンへのはみ出しを防止して、作業性と信頼性の向上を図れる空気調和機の室内機を提供する。【解決手段】電気部品箱１５の底面部に配置される電源コネクタ１６と、この電源コネクタの室内機本体下面部側を覆うコネクタカバー１７と、このコネクタカバー上に取付けられ、電気部品箱から化粧パネル側へ延出される本体側リード線１８と、化粧パネルに配置された電気部品から電気部品箱側へ延出される化粧パネル側リード線１９および本体側リード線と化粧パネル側リード線のそれぞれ端部に連結され互いのリード線を電気的に接続する中継コネクタ２２と、これら本体側リード線と化粧パネル側リード線および中継コネクタを覆って取付けられ室内機本体の下面部に露出する中継リードカバー２４とを具備した。【選択図】    図６
2004293976.tif 000002
【特許請求の範囲】
【請求項１】
内部に室内熱交換器と送風機及び電気部品箱が収納され下面部が室内側へ臨むように天井に設置される室内機本体と、この室内機本体の下面部を覆うように室内側から取付けられる化粧パネルとを備えた被空調室の天井面に取付けられる空気調和機の室内機において、
上記電気部品箱の室内側に臨む底面部に配置され、電源部および室外機側からの接続用のリード線を接続するための電源コネクタと、
この電源コネクタの室内機本体下面部側を覆うコネクタカバーと、
このコネクタカバー上に取付けられ、
上記電気部品箱から化粧パネル側へ延出される本体側リード線と、上記化粧パネルに配置された電気部品から上記電気部品箱側へ延出される化粧パネル側リード線および、上記本体側リード線と化粧パネル側リード線のそれぞれ端部に連結され互いのリード線を電気的に接続する中継コネクタと、
これら本体側リード線と化粧パネル側リード線および中継コネクタを覆って取付けられ、上記室内機本体の下面部に露出する中継リードカバーと
を具備したことを特徴とする空気調和機の室内機。
【発明の詳細な説明】
【０００１】
【発明の属する技術分野】
本発明は、天井取付け形の空気調和機の室内機に係り、特に電気部品箱内の電気部品に接続される本体側リード線と、化粧パネルに配置された電気部品に接続される化粧パネル側リード線との処理構造の改良に関する。
【０００２】
【従来の技術】
被空調室の壁面に空気調和機の室内機を取付けるタイプの場合は、室内の居住者に対して圧迫感があるが、室内機を天井に取付けるタイプとすれば圧迫感がないうえに、部屋の隅々まで熱交換空気が到達してムラがなく、高い熱交換効率が得られる。
【０００３】
この種の天井取付け形の室内機は、天井裏に室内機本体が取付け固定され、本体下面部が天井面から室内へ突出する。室内機本体の下面部は化粧パネルによってカバーされる。
【０００４】
上記室内機本体の下面略中央部に沿ってドレンパンの底部が露出し、このドレンパン上には熱交換器が配置される。上記ドレンパンの両側部に沿って開口があり、一方が吸込み部となり、他方が吹出し部となる。
【０００５】
また、室内機本体内には電気部品箱が配置され、この電気部品箱内に収容される電気部品からリード線である本体側リード線が突出する。一方、化粧パネルに取付けられる電気部品からリード線である化粧パネル側リード線が突出する。これら本体側リード線と化粧パネル側リード線とは、互いにコネクタを介して電気的に接続する必要があり、リード線の処理構造が問題となる。
【０００６】
天井取付け形空気調和機の室内機におけるリード線の処理構造が、［特許文献１］に記載されている。具体的には、化粧パネル上に、風向変更板と、モータと、カバーで覆われた連動部材とからなる風向変更装置が取付けられ、上記カバーにモータから延びたリード線を固定する取付け部が設けられる。
【０００７】
【特許文献１】
特開平５−３２２３００号公報
【０００８】
【発明が解決しようとする課題】
しかしながら、この発明には化粧パネルに取付けられる風向変更装置を構成する電気部品（モータ）のリード線と、室内機本体内に配置される電気部品箱内の制御用電気部品のリード線とを、互いに電気的に接続し処理する構成についての開示がない。
【０００９】
すなわち、上記化粧パネルに嵌め込まれる吸込みグリルは、フィルタの掃除などのメンテナンスの際に外される。この状態で、電気部品箱および化粧パネルの電気部品から延出されるリード線やコネクタが見えると美観が損なわれる。これらが垂れ下がれば、より見苦しいばかりでなく、作業上の邪魔になる。
【００１０】
室内機本体内に構成部品を組立てる際は、室内機本体を取付け状態とは上下逆にして行うが、このとき上記リード線類およびコネクタを強制的に下方（奥方）へ押し込む。リード線類はある程度剛性があるから、その状態をほとんど変わりなく保持する。
【００１１】
したがって、吸込みグリルを外してもリード線の垂れ下がりを防止することができる。その反面、押し込み先を確認できない状態で押し込むので、リード線の一部が板金のエッジに接触して損傷する虞れがある。
【００１２】
あるいは、リード線の一部が上記ドレンパン上に突出することが考えられる。ドレンパン上のリード線にドレン水が接触すれば、そのドレン水はリード線に沿って流れ、ついにはドレンパン外部から滴下する虞れがある。
【００１３】
本発明は上記事情に鑑みなされたものであり、その目的とするところは、電気部品箱から化粧パネル側へ延出される本体側リード線と、化粧パネルに配置された電気部品から電気部品箱側へ延出される化粧パネル側リード線との接続部位を１ヶ所に集中して保護でき、リード線類の損傷防止を得られるとともに、リード線類のドレンパンへのはみ出しを防止して、作業性と信頼性の向上を図れる空気調和機の室内機を提供しようとするものである。
【００１４】
【課題を解決するための手段】
上記目的を満足するため本発明は、内部に室内熱交換器と送風機及び電気部品箱が収納され下面部が室内側へ臨むように天井に設置される室内機本体と、この室内機本体の下面部を覆うように室内側から取付けられる化粧パネルとを備えた被空調室天井面取付け形の空気調和機の室内機において、
電気部品箱の室内側に臨む底面部に配置され電源部および室外機側からの接続用のリード線を接続するための電源コネクタと、この電源コネクタの室内機本体下面部側を覆うコネクタカバーと、このコネクタカバー上に取付けられ、電気部品箱から化粧パネル側へ延出される本体側リード線と、化粧パネルに配置された電気部品から電気部品箱側へ延出される化粧パネル側リード線および本体側リード線と化粧パネル側リード線のそれぞれ端部に連結され互いのリード線を電気的に接続する中継コネクタと、これら本体側リード線と化粧パネル側リード線および中継コネクタを覆って取付けられ室内機本体の下面部に露出する中継リードカバーとを具備した。
【００１５】
このような課題を解決する手段を採用することにより、中継コネクタとリード線類を１ヶ所で集中して保護でき、リード線類の損傷防止を得られるとともに、リード線類のドレンパンへのはみ出しを防止する。
【００１６】
【発明の実施の形態】
以下、本発明の一実施の形態を図面にもとづいて説明する。
図１は天井取付け形の空気調和機の室内機を下方から見上げた斜視図であり、図２は室内機本体の縦断面図、図３は室内機本体を下方から見上げた斜視図である。
【００１７】
空気調和機の室内機としては、被空調室の天井板に設けられる開口部に挿入され、吊りボルト等を介して天井裏（いずれも図示しない）に吊持固定される室内機本体１を備えている。
【００１８】
上記室内機本体１の下面部は被空調室の天井面から室内に面して化粧パネル２が取付けられ、これらで室内機が構成される。上記化粧パネル２は天井板から室内に露出し、取付用開口部と室内機本体１側面部との間隙を遮蔽している。
【００１９】
室内機本体１は、その長手方向が、長手方向と直交する方向である幅方向に対して長い矩形箱状に成型され、下面のみ開口し他の周面の全てが板面をなす筐体である。
【００２０】
金属薄板を板金加工して筐体構造となし、内面にはたとえば発泡スチロール材などの合成樹脂材からなる断熱材が組み込まれ、室内機本体１として断熱構造が採用される。
【００２１】
室内機本体１の長手方向両側面部１ａにはそれぞれ一対ずつの吊り金具３が設けられ、天井裏から吊持される吊りボルト（図示しない）に取付けられる。室内機本体１の一方側（図の右側）の側面部１ａで、吊り金具３の近傍部位に２本の冷媒接続管４と１本の配線用パイプ５端部が突出している。
【００２２】
室内機本体１内の上記冷媒接続部４に冷媒管が接続され、室内熱交換器７に連通する。また、これら配管接続部４には室外機から延出する冷媒渡り管が接続される。上記配線用パイプ５には室内機と室外機および電源部と電気的に接続する渡りケーブル等が挿通する。
【００２３】
上記室内機本体１の幅方向一側部に送風機６が配置され、この送風機６の熱交換空気吸込み側と対向して室内熱交換器７が配置される。上記室内熱交換器７は室内機本体１の下端部から上端部に亘って斜めに傾斜して配置される。
【００２４】
上記室内熱交換器７の上端面は室内機本体１上面部に略密着状態にあり、下端部はドレンパン８に嵌め込まれる。このドレンパン８は、室内機本体１の下面開口部１ｂに設けられていて、上記化粧パネル２を取外すことにより底部が室内側に露出する。
【００２５】
室内機本体１の下面開口部１ｂは、幅方向の略中央部に、長手方向に亘って設けられる上記ドレンパン８によって左右に仕切られ、この左右両側に開口部１０ａ，１０ｂがある。
【００２６】
一方の開口部を吸込み部１０ａと呼び、他方の開口部を吹出し部１０ｂと呼ぶ。上記吸込み部１０ａと対向する化粧パネル２部位には吸込み口１１が開口され、吸込グリル１２が着脱自在に取付けられる。
【００２７】
上記吸込みグリル１２には図示しないフィルタが着脱自在に取付けられていて、吸込みグリル１２を取外したうえでフィルタを取外すことにより、フィルタが捕捉した塵埃を除去できる。
【００２８】
上記吸込み口１１は幅方向と比較して長手方向が長い矩形状をなし、吸込みグリル１２は吸込み口１１における室内空気の流通を可能としながら、吸込み口１１から室内機本体１内部に対する遮蔽をなしている。
【００２９】
上記吹出し部１０ｂと対向する化粧パネル２部位には吹出し口１３が開口され、ルーバー駆動機構に連結されたルーバー１４が取付けられる。この吹出し口１３も幅方向と比較して長手方向が長い矩形状をなし、上記ルーバー１４は室内の広い範囲に亘って均一に熱交換空気を吹出し案内できる。
【００３０】
特に、図３および図６に示すように、上記ドレンパン８の側方部位で上記吸込み部１０ａ側には電気部品箱１５が配置される。この電気部品箱１５内には、上記送風機６等の電気部品と電気的に接続され、これらを制御する制御用電気部品（いずれも図示しない）が収容されている。
【００３１】
この電気部品箱１５は、底部がドレンパン８底部よりも上部（奥方）に位置するよう取付けられる。そして、この電気部品箱１５底部上にはコネクタ１６が取付けられ、コネクタカバー１７によって遮蔽される。上記コネクタ１６は、電源部および室外機側との接続用リード線を、室内機本体１内の電気部品箱１５に収容された制御部と電気的に接続するものである。
【００３２】
図３は、上記コネクタカバー１７が露出し、コネクタ１６の全てと、電気部品箱１５の一部が遮蔽されている状態を示している。この構成から、図４と図５に示す後述する工程を経て、図６に示す完成状態に至る。
【００３３】
すなわち、図４では、電気部品箱１５内の制御用電気部品に接続される本体側リード線１８が、電気部品箱１５から突出して上記コネクタカバー１７上に延在される。
【００３４】
一方、上記化粧パネル２は、吹出し口１３に設けられるルーバー１４を回動駆動するルーバー駆動機構を備えているが、このルーバー機構を構成するモータ（図示しない）から化粧パネル２を介して室内機本体１内壁に沿って化粧パネル側リード線１９が延出される。
【００３５】
そして、これら本体側リード線１８と化粧パネル側リード線１９は、互いの端部が上記コネクタカバー１７上にまとめられたうえで、取付け具２０によりコネクタカバー１７上に取付け固定される。
【００３６】
そして、本体側リード線１８と化粧パネル側リード線１９のそれぞれの端部は、中継コネクタ２２に挿入され、かつ固定される。すなわち、中継コネクタ２２を介して本体側リード線１８と化粧パネル側リード線１９は互いに電気的に接続されることになる。
【００３７】
このように、図４に示す工程では、本体側リード線１８と化粧パネル側リード線１９をコネクタカバー１７上に引き出し、互いの端部を中継コネクタ２２に固定したあと、コネクタカバー１７上に取付け固定する。本体側リード線１８等は、電気部品箱１５底部にコネクタカバー１７を介して取付けられている。
【００３８】
つぎに、図５に示すように、コネクタカバー１７上の中継コネクタ２２と本体側リード線１８および化粧パネル側リード線１９を中継リードカバー２４で覆い、両端部を室内機本体１およびコネクタカバー１７に取付ける。
【００３９】
その結果、中継リードカバー２４は上記吸込みグリル１２を取外した状態で、室内機本体１の下面部１ｂに上記ドレンパン８底部一部とともに露出する。本体側リード線１８や化粧パネル側リード線１９は勿論、中継コネクタ２２などの全てが遮蔽されるので、美観を損なうことがない。
【００４０】
さらに、本体側リード線１８や化粧パネル側リード線１９が中継リードカバー２４によって受けられ、垂れ下がることがないので、メンテナンス作業の際に化粧パネル２あるいは吸込みグリル１２を取外しても邪魔にならずにすみ，作業性の向上を図れる。
【００４１】
なお、中継リードカバー２４のコネクタカバー１７への取付け構造について、図６にもとづいて説明する。
上記中継リードカバー２４は、皿状をなしコネクターカバー１７側が開放される。この一側部には爪部２５が突設されていて、爪部２５先端は中継リードカバー２４の開放端縁からさらに下方に突出している。
【００４２】
上記爪部２５が設けられる側部とは反対側の側部では、開放端縁から外方へ一体に突出する鍔部２６が設けられる。この鍔部２６に沿って、もしくは鍔部２６と適宜対向する幅寸法で複数の補助鍔部２７が一体に設けられる。
【００４３】
上記補助鍔部２７と上記鍔部２６の突出寸法は互いに同一であり、しかも幅方向全長に亘って均一の間隙を得るように形成される。これら補助鍔部２７と鍔部２６との間隙寸法は、室内機本体１を構成する筐体板厚と略同一である。
【００４４】
このような中継リードカバー２４であって、補助鍔部２７と鍔部２６との間隙を室内機本体１に設けられる掛止用片部１ｄに差し込み、さらに爪部２５を上記コネクタカバー１７に設けられる掛合用孔１ｅに挿入して掛止状態となす。
【００４５】
中継リードカバー２４の一端部はコネクタカバー１７に、かつ他端部は室内機本体１に取付けられ、本体側リード線１８と化粧パネル側リード線１９および中継コネクタ２２を遮蔽する。当然、必要に応じて中継リードカバー２４を室内機本体１とコネクタカバー１７から容易に取外しできる。
【００４６】
このように構成された天井取付け形の空気調和機の室内機において、送風機６が駆動されると室内空気が吸込みグリル１２と吸込み口１１を介して室内機本体１内に吸引される。
【００４７】
熱交換空気は吸込み部１０ａから室内熱交換器７に導かれ、ここで熱交換がなされたあと送風機６を介して吹出し部１０ｂと吹出口１３を介して室内へ吹出される。こうして室内空気が循環され、室内の空気調和運転がなされる。
【００４８】
長期の使用に亘ると、適宜期間を存してメンテナンス作業の必要がある。このとき、吸込みグリル１２を化粧パネル２から取外し、さらにフィルタを取外して塵埃の除去をなす。
【００４９】
吸込みグリル１２のみを取外しても、中継リードカバー２４は室内機本体１の下面に露出することとなる。この状態で、本体側リード線１８や化粧パネル側リード線１９および中継コネクタ２２などの全てが中継リードカバー２４で遮蔽されるので、美観を損なうことがない。
【００５０】
しかも、中継リードカバー２４の存在によって本体側リード線１８や化粧パネル側リード線１９は垂れ下がることがないので、上述のメンテナンス作業の際に邪魔にならずにすみ，作業性の向上を図れる。
【００５１】
なお、本発明は上述の実施の形態に限定されるものではなく、本発明の要旨を逸脱しない範囲で種々変形実施可能であるのは勿論である。
【００５２】
【発明の効果】
以上説明したように本発明によれば、中継コネクタを介して本体側リード線と化粧パネル側リード線を接続したうえで中継リードカバーで覆うことにより、リード線類と中継コネクタを１ヶ所に集中して保護でき、作業性と信頼性の向上を図れるなどの効果を奏する。
【図面の簡単な説明】
【図１】本発明の一実施の形態を示す、空気調和機の室内機の外観斜視図。
【図２】同実施の形態を示す、化粧パネルを取外し室内機本体のみの断面図。
【図３】同実施の形態を示す、室内機本体のみの斜視図。
【図４】同実施の形態を示す、リード線処理工程を説明する図。
【図５】同実施の形態を示す、さらにリード線処理工程を説明する図。
【図６】同実施の形態を示す、リード線処理が完了した状態での室内機本体の一部断面図。
【符号の説明】
７…室内熱交換器、６…送風機、１５…電気部品箱、１…室内機本体、２…化粧パネル、１６…電源コネクタ、１７…コネクタカバー、１８…本体側リード線、１９…化粧パネル側リード線、２２…中継コネクタ、２４…中継リードカバー。
【図１】
2004293976.tif 000003
【図２】
2004293976.tif 000004
【図３】
2004293976.tif 000005
【図４】
2004293976.tif 000006
【図５】
2004293976.tif 000007
【図６】
2004293976.tif 000008